(57)【要約】      （修正有）【課題】幅の相違する腰ベルトに対しても汎用性が高く、腰ベルトへの装着が容易で、作業中に腰袋自体が落下したり、腰袋の一部が外れて、収容された工具や小物が落下する虞がない腰ベルト用装着治具を提供する。【解決手段】腰ベルト１０の裏面側にこの腰ベルトの上方から装着されるプレート部２１と、プレート部の上部に一端部が固定され、他端部が自由端として腰ベルトの表面側に垂下される係止帯２２と、プレート部の裏面、及び係止帯の自由端において腰ベルトの下方から上方にＵ字状に折り曲げた係止帯の対向面、の各々の面に配置された貼り合わせファスナー部２４と、プレート部の上部に上端部が固定され、腰ベルトの係止帯の表面側に垂下帯２８を介して垂下され被掛止片２９を掛止する掛止部２７と、を備える。【選択図】図１
0003220105.tif 000002
【実用新案登録請求の範囲】
【請求項１】
腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部とを備えたことを特徴とする腰ベルト用装着治具。
【請求項２】
腰ベルトの裏面側にこの腰ベルトの上方から装着される可撓性を有する樹脂板層を含む積層体で形成されたプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部とを備えたことを特徴とする腰ベルト用装着治具。
【請求項３】
腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下された腰袋とを備えたことを特徴とする腰袋。
【請求項４】
腰ベルトの裏面側にこの腰ベルトの上方から装着される可撓性を有する樹脂板層を含む積層体で形成されたプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下された腰袋とを備えたことを特徴とする腰袋。
【請求項５】
腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部と、
前記被係止片に垂下された腰袋とを備えたことを特徴とする腰袋。
【考案の詳細な説明】
【技術分野】
【０００１】
本考案は、例えば、電気工事、建築工事、内装工事等の作業者の腰ベルトに装着される工具や小物等を収納する腰袋等のベルト通しの工夫に関し、ワンタッチで取付け、取外しを行える腰ベルト用装着治具及び腰袋に関するものである。
【背景技術】
【０００２】
電気工事、建築工事、内装工事等の作業者においては、自身の腰部に腰袋を装着して作業を行っている。この腰袋は、作業中に使用するペンチ、ハンマー、撫でブラシ等の種々の工具を収納したり、差し込んだりして身につける工具入れとしての用途や、作業に必要な結束具や釘等の小物類を収納する小物入れとしての用途等を有し、これを作業者の腰部に吊下保持させて作業を行っている。
【０００３】
この腰袋については、作業者の利き腕や、収納する工具や行う作業等によって腰部の位置を変更することが行われる。そのため、多くの場合、腰袋は、腰袋に一体として販売される取付ベルトや別途に販売される腰ベルトに対して移動可能に取付けられるようになっている。
【０００４】
例えば、取付ベルトに対して、ベルト通しの金具や部材を介して腰袋を吊下保持させる。この場合、腰袋が不要な作業の場合や別の腰袋を用いる作業では、一旦取付ベルトといて腰袋を外す必要があった。そのため、腰袋への取付け部と、ベルト通し溝を有するベルト通し用金具において、ベルト通し溝の一側下部にベルト挿脱用切溝を設けて腰袋を着脱可能とする提案があった（例えば、特許文献１参照）。
【先行技術文献】
【特許文献】
【０００５】
【特許文献１】実用新案登録第３１１３２７７号公報
【考案の概要】
【考案が解決しようとする課題】
【０００６】
しかしながら、この提案では、腰袋の腰ベルトへの装着が容易となるが、作業中の作業者の動きからベルト挿脱用切溝からベルトが外れる虞があり、腰袋自体が落下したり、腰袋の一部が外れて、腰袋に収容された工具や小物が落下する虞があった。また、腰ベルトについては、作業者の好み等で幅が相違するものがあり、ベルト挿脱用切溝が一定となっているもののみを使用するため、幅の相違する腰ベルトに対しても同じように装着することが難しい状体であった。
【０００７】
本考案は、幅の相違する腰ベルトに対しても汎用性が高く、腰ベルトへの装着が容易で、作業中に腰袋自体が落下したり、腰袋の一部が外れて、収容された工具や小物が落下する虞がない腰ベルト用装着治具又は腰袋を得ることを目的とする。
【課題を解決するための手段】
【０００８】
請求項１に記載された考案に係る腰ベルト用装着治具は、腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部とを備えたことを特徴とするものである。
【０００９】
請求項２に記載された考案に係る腰ベルト用装着治具は、腰ベルトの裏面側にこの腰ベルトの上方から装着される可撓性を有する樹脂板層を含む積層体で形成されたプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部とを備えたことを特徴とするものである。
【００１０】
請求項３に記載された考案に係る腰袋は、腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下された腰袋とを備えたことを特徴とするものである。
【００１１】
請求項４に記載された考案に係る腰袋は、腰ベルトの裏面側にこの腰ベルトの上方から装着される可撓性を有する樹脂板層を含む積層体で形成されたプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下された腰袋とを備えたことを特徴とするものである。
【００１２】
請求項５に記載された考案に係る腰袋は、腰ベルトの裏面側にこの腰ベルトの上方から装着されるプレート部と、
前記プレート部の上部に一端部が固定され、他端部が自由端として前記腰ベルトの表面側に垂下される係止帯と、
前記プレート部の裏面と、前記係止帯の自由端の前記係止帯の腰ベルトの下方から上方にＵ字状に折り曲げた対向面との各々の面に配置された貼り合わせファスナー部と、
前記プレート部の上部に上端部が固定され、前記腰ベルトの前記係止帯の表面側に垂下され被掛止片を掛止する掛止部と、
前記被係止片に垂下された腰袋とを備えたことを特徴とするものである。
【考案の効果】
【００１３】
本考案は、幅の相違する腰ベルトに対しても汎用性が高く、腰ベルトへの装着が容易で、作業中に腰袋自体が落下したり、腰袋の一部が外れて、収容された工具や小物が落下する虞がない腰ベルト用装着治具又は腰袋を得ることができるという効果がある。
【図面の簡単な説明】
【００１４】
【図１】本考案の腰ベルト用装着治具とこの治具で装着された腰袋の一実施例の構成を示す説明図であり、ａ図は側面図、ｂ図は正面図、ｃ図はａ図要部の拡大図である。
【図２】図１の腰ベルト用装着治具を分離した状態を示す説明図であり、ａ図は側面図、ｂ図は正面図である。
【図３】図２の分離された腰ベルト用装着治具を腰ベルトから取り外した状態を示す説明図であり、ａ図は側面図、ｂ図は正面図、ｃ図はａ図要部の拡大図である。
【考案を実施するための形態】
【００１５】
本考案の腰ベルト用装着治具は、腰ベルトの裏面側にこの腰ベルトの上方から装着されるプレート部と、プレート部の上部に一端部が固定され、他端部が自由端として腰ベルトの表面側に垂下される係止帯と、プレート部の上部に上端部が固定され、腰ベルトの係止帯の表面側に垂下され被掛止片を掛止する掛止部とを備える。
【００１６】
また、プレート部の裏面と、係止帯の自由端の係止帯の腰ベルトの下方から上方にＵ字状に折り曲げた対向面との各々の面に貼り合わせファスナー部を配置する。これにより、幅の相違する腰ベルトに対しても汎用性が高く、腰ベルトへの装着が容易で、作業中に腰袋自体が落下したり、腰袋の一部が外れて、収容された工具や小物が落下する虞がない腰ベルト用装着治具又は腰袋を得ることができる。
【００１７】
即ち、腰ベルトへの装着に際しては、腰ベルトの裏面側にこの腰ベルトの上方から装着し、係止帯の自由端を腰ベルトの下方から上方にＵ字状に折り曲げてプレート部の裏面と係止帯の自由端部に配置された貼り合わせファスナー部同士を貼り合わせることにより装着する。
【００１８】
作業者の腰部に装着される腰ベルトの幅が狭くても広くても係止帯の自由端を腰ベルトの下方から上方に折り曲げて自由端の貼り合わせファスナー部の一面がプレート部の裏面の貼り合わせファスナー部の他面に重ね合わせることが可能な長さであれば腰ベルトの幅に左右されない汎用性があり、装着も容易である。
【００１９】
加えて、この貼り合わせファスナー部同士は作業者の腰部と腰ベルトとの間で保持されるため、腰ベルトへの装着が容易で、作業中に腰袋自体が落下したり、腰袋の一部が外れて、収容された工具や小物が落下する虞がない。
【００２０】
本考案の腰ベルト用装着治具としては、裏面側に貼り合わせファスナー部の一面を配置させたプレート部と、自由端部に貼り合わせファスナー部の他面を配置させた係止帯と、掛止部とを積層させて、上部をカシメ材で１箇所以上を固定する簡略な構成であるため、製造も容易である。
【００２１】
尚、プレート部としては、金属製、皮革製、樹脂製及びそれらの合成品であってもよく、好ましくは、可撓性を有するものとすることにより、装着された作業員の身体の動きに応じて曲がるため、作業者への負担が少なく、腰ベルトに装着する際にも操作が容易となる。更に好ましくは、樹脂板層を含む積層体で形成されたものとすることにより、耐久性に優れ、作業者への負担が少なく、装着の容易性の全てを達成することができる。
【００２２】
本考案の掛止部としては、腰ベルトの係止帯の表面側に垂下され被掛止片を掛止するものであり、例えば、掛止部としてワンタッチバックルの一方を垂下させておき、被掛止片としてワンタッチバックルの他方に工具入れや小物入れ等の腰袋を装着しておけばよい。同じワンタッチバックルを用いれば、別の腰袋を交換可能に着脱することができる。
【００２３】
また、掛止部を用いずに、直接、腰袋本体を吊下させてもよい。詳しくは、本考案の腰袋は、腰ベルトの裏面側にこの腰ベルトの上方から装着されるプレート部と、プレート部の上部に一端部が固定され、他端部が自由端として腰ベルトの表面側に垂下される係止帯と、プレート部の裏面と、係止帯の自由端の係止帯の腰ベルトの下方から上方にＵ字状に折り曲げた対向面との各々の面に配置された貼り合わせファスナー部と、プレート部の上部に上端部が固定され、腰ベルトの係止帯の表面側に垂下された腰袋とを備える。
【実施例】
【００２４】
図１は本考案の腰ベルト用装着治具とこの治具で装着された腰袋の一実施例の構成を示す説明図であり、ａ図は側面図、ｂ図は正面図、ｃ図はａ図要部の拡大図である。図２は図１の腰ベルト用装着治具を分離した状態を示す説明図であり、ａ図は側面図、ｂ図は正面図である。図３は図２の分離された腰ベルト用装着治具を腰ベルトから取り外した状態を示す説明図であり、ａ図は側面図、ｂ図は正面図、ｃ図はａ図要部の拡大図である。
【００２５】
図に示す通り、本実施例の腰ベルト用装着治具２０は、腰ベルト１０の裏面側にこの腰ベルト１０の上方から装着されるプレート部２１と、プレート部２１の上部に一端部が２本のカシメ材２３で固定され、他端部が自由端として腰ベルト１０の表面側に垂下される係止帯２２と、プレート部２１の上部に上端部が同じく２本のカシメ材で固定され、腰ベルト１０の係止帯２２の表面側に垂下された係止部垂下帯２８の下端部に装着された被掛止片２９を掛止する掛止部２７とを備える。
【００２６】
また、プレート部２１の裏面の全面に設置されたファスナー部の一面２５と、係止帯２２の自由端の腰ベルト１０の下方から上方にＵ字状に折り曲げた対向面に設置されたファスナー部の他面２６との各々の面に貼り合わせファスナー部２４が配置されている。これにより、幅の相違する腰ベルト１０に対しても汎用性が高く、腰ベルト１０への装着が容易で、作業中に腰ベルト用装着治具２０の掛止部２７に掛止される被係止片に吊下される腰袋３０本体が落下したり、腰袋３０本体の一部が外れて、収容された工具や小物が落下する虞がない腰ベルト用装着治具２０又は腰袋３０を得ることができる。
【００２７】
本実施例の腰ベルト１０への装着に際しては、裏面側にプレート部２１を、表面側に係止帯２２を腰ベルト１０のを挟むようにこの腰ベルト１０の上方から装着させ、係止帯２２の自由端を腰ベルト１０の下方から裏面側の上方にＵ字状に折り曲げてプレート部２１の裏面と係止帯の自由端部に配置された貼り合わせファスナー部２４同士を貼り合わせることにより装着する。
【００２８】
作業者の腰部に装着される腰ベルト１０の幅が狭くても広くても係止帯２２の自由端を腰ベルト１０の下方から上方に折り曲げて自由端の貼り合わせファスナー部の一面２５がプレート部２１の裏面の貼り合わせファスナー部の他面２６に重ね合わせることが可能な長さであれば腰ベルト１０の幅に左右されない汎用性があり、腰ベルト１０への装着も容易である。
【００２９】
加えて、この貼り合わせファスナー部２４同士の貼り合わせ面は作業者の腰部と腰ベルト１０との間で保持されるため、装着が容易だけでなく、貼り合わせ面が外れて、作業中に腰袋３０自体が落下したり、腰袋３０の一部が外れて、腰袋３０内に収容された工具や小物が落下する虞がない。
【００３０】
本実施例の腰ベルト用装着治具２０としては、裏面側に貼り合わせファスナー部の一面２５を配置させたプレート部２１と、自由端部に貼り合わせファスナー部の他面２６を配置させた係止帯２２と、掛止部２７の掛止部垂下帯２８とを積層させて、積層させた上部をカシメ材２３で２箇所以上を固定する簡略な構成であるため、製造も容易である。
【００３１】
尚、本実施例のプレート部２１としては、樹脂板層を含む積層体で形成されたものとしているため、耐久性に優れ、可撓性を有するものとすることにより、装着された作業員の身体の動きに応じて曲がるため、装着した作業者への負担が少なく、装着の容易性の全てを達成することができる。
【００３２】
本実施例の掛止部２７及び被掛止片２８としては、ワンタッチバックルを用いている。即ち、掛止部２７としてワンタッチバックルの一方を掛止部垂下帶２８にさせておき、被掛止片２８としてワンタッチバックルの他方に工具入れや小物入れ等の腰袋３０本体を腰袋垂下部３１の上端部に装着しておけば、腰ベルト１０に装着する際には、ワンタッチバックルを外した状態で腰ベルト装着治具２０を装着した後に、腰袋３０と腰袋垂下部と被係止片２９を取り付ければ良い。
【００３３】
また、同じワンタッチバックルを用いれば、別の腰袋等を交換可能に着脱することができる。更に、掛止部２７及び掛止垂下帶２８を用いずに、直接、腰袋３０本体を吊下させてもよい。
【符号の説明】
【００３４】
１０…腰ベルト、
２０…腰ベルト用装着治具、
２１…プレート部、
２２…係止帯、
２３…カシメ材、
２４…貼り合わせファスナー部、
２５…ファスナー部の一面、
２６…ファスナー部の他面、
２７…掛止部、
２８…掛止部垂下帯
２９…被係止片、
３０…腰袋、
３１…腰袋垂下部、
【図１】
0003220105.tif 000003
【図２】
0003220105.tif 000004
【図３】
0003220105.tif 000005